(57)【要約】【課題】電源電圧の低下によりフロントモニタ用受光素子の受光出力が低下した際に、ＡＰＣ回路によりレーザー光源からのレーザー光量を増加させる制御が行われ、ディスク記録あるいは再生に適切なレーザー光量に制御されなくなってしまう。【解決手段】フロントモニタ用受光素子４に印加される電源電圧に対応するＡＰＣ回路９のオフセット電圧のオフセットデータをメモリ回路１２に光学ヘッド装置の特性に則って光ディスク装置ごとにあらかじめ記憶させておき、電源電圧検出回路１１によりフロントモニタ用受光素子４に印加される電源電圧が所定電圧に低下するのが検出された際に前記メモリ回路１２から前記所定電圧に対応したオフセットデータを読み出してフロントモニタ用受光素子４の電源電圧の低下に対応するオフセット電圧をＡＰＣ回路９に設定するようにしている。【選択図】図１
2006024323.tif 000002
【特許請求の範囲】
【請求項１】
光学ヘッド装置のレーザー光源からディスク側の前方に出射されるレーザー出力を監視するべく光学ヘッド装置に設けられたフロントモニタ用受光素子から出力されるフロントモニタ出力を用いてＡＰＣ回路により前記レーザー光源からのレーザー出力を一定光量に制御する光ディスク装置であって、前記フロントモニタ用受光素子に印加される電源電圧が所定電圧に低下するのを検出する電源電圧検出回路と、該電源電圧検出回路による検出出力に応じて前記ＡＰＣ回路に設定されるオフセット電圧を調整するオフセット調整回路と、前記フロントモニタ用受光素子に印加される電源電圧に対応して前記ＡＰＣ回路に設定されるオフセット電圧に対応するオフセットデータが記憶されるメモリ回路とを備え、該メモリ回路にはフロントモニタ用受光素子に印加される電源電圧に対応するＡＰＣ回路のオフセット電圧のオフセットデータが光学ヘッド装置の特性に則って光ディスク装置ごとにあらかじめ記憶されており、前記電源電圧検出回路によりフロントモニタ用受光素子に印加される電源電圧が所定電圧に低下するのが検出された際に前記メモリ回路から前記所定電圧に対応したオフセットデータを読み出して前記フロントモニタ用受光素子の電源電圧の低下に対応するオフセット電圧を前記ＡＰＣ回路に設定するようにしたことを特徴とする光ディスク装置。
【請求項２】
フロントモニタ用受光素子の電源電圧とこのフロントモニタ用受光素子の受光出力との関係を示す特性データがコード化されたデータ表が光学ヘッド装置に設置され、光ディスク装置の製造工程で搭載される光学ヘッド装置のデータ表を読み取り、このデータ表に記載された特性データを基にフロントモニタ用受光素子の電源電圧に対応するＡＰＣ回路のオフセット電圧を検出し、このオフセット電圧に対応するオフセットデータをメモリ回路に記憶させることを特徴とする請求項１に記載の光ディスク装置。
【請求項３】
光学ヘッド装置のレーザー光源から出射されるレーザー光をディスクに集光して照射し、ディスクから反射されるレーザー光を光検出器に受光し、この光検出器に形成される複数の各受光領域から得られる各受光出力を信号生成回路により演算処理してディスクの情報信号、フォーカスエラー信号及びトラッキングエラー信号を信号生成する光ディスク装置であって、前記光検出器の各受光領域から得られる各受光出力を前記信号生成回路に適切な電圧レベルに設定するレベル設定回路と、前記光検出器に印加される電源電圧が所定電圧に低下するのを検出する電源電圧検出回路と、該電源電圧検出回路による検出出力に応じて前記レベル設定回路に設定されるオフセット電圧を調整するオフセット調整回路と、前記光検出器に印加される電源電圧に対応して前記レベル調整回路に設定されるオフセット電圧に対応するオフセットデータが記憶されるメモリ回路とを備え、該メモリ回路には前記光検出器に印加される電源電圧に対応するレベル設定回路のオフセット電圧のオフセットデータが光学ヘッド装置の特性に則って光ディスク装置ごとにあらかじめ記憶されており、前記電源電圧検出回路により光検出器に印加される電源電圧が所定電圧に低下するのが検出された際に前記メモリ回路から前記所定電圧に対応したオフセットデータを読み出して前記光検出器の電源電圧の低下に対応するオフセット電圧を前記レベル設定回路に設定するようにしたことを特徴とする光ディスク装置。
【請求項４】
光検出器の電源電圧とこの光検出器の受光出力との関係を示す特性データがコード化されたデータ表が光学ヘッド装置に設置され、光ディスク装置の製造工程で搭載される光学ヘッド装置のデータ表を読み取り、このデータ表に記載された特性データを基に光検出器の電源電圧に対応するレベル設定回路のオフセット電圧を検出し、このオフセット電圧に対応するオフセットデータをメモリ回路に記憶させることを特徴とする請求項３に記載の光ディスク装置。
【発明の詳細な説明】
【技術分野】
【０００１】
本発明は、光学ヘッド装置のレーザー光源からディスク側の前方に出射されるレーザー光をフロントモニタ用受光素子により受光し、そのフロントモニタ用受光素子から出力されるフロントモニタ出力を用いてＡＰＣ回路により前記レーザー光源からのレーザー出力を一定光量に制御する光ディスク装置に関し、また、光学ヘッド装置のレーザー光源から出射されるレーザー光をディスクに集光して照射し、ディスクから反射されるレーザー光を光検出器に受光し、この光検出器に形成される複数の各受光領域から得られる各受光出力を信号生成回路により演算処理してディスクの情報信号、フォーカスエラー信号及びトラッキングエラー信号を信号生成する光ディスク装置に関する。
【背景技術】
【０００２】
光学ヘッド装置からのレーザー光を用いてディスクへの記録を行う光ディスク装置としては、ＣＤ（Compact Disc）規格のＣＤ−Ｒ（Recordable）及びＣＤ−ＲＷ（ReWritable）記録方式と、ＤＶＤ（Digital Versatile Disc）規格のＲやＲＷ、あるいはＲＡＭ等の記録方式とが良く知られている。
【０００３】
このようなディスク記録に対応する光ディスク装置に用いられる光学ヘッド装置においては、通常、レーザー光源からディスク側に出射されるレーザービームの一部を直接受光するべくフロントモニタ用受光素子が備えられており、フロントモニタ用受光素子を備える光学ヘッド装置を搭載する光ディスク装置は、フロントモニタ用受光素子の受光出力（フロントモニタ出力）を用いてＡＰＣ（Automatic Power Control）回路を備えるレーザー出力制御回路によりレーザー光源から出射されるレーザー光を一定光量にするべくレーザー出力を制御し、これにより光学ヘッド装置からディスクに照射されるレーザー光がディスクへの記録及び再生に適切な光量で一定に保持されるようになっている。
【０００４】
また、光学ヘッド装置にはディスクから反射されるレーザー光を受光する光検出器が備えられ、光ディスク装置は光検出器に形成される複数の各受光領域から得られる各受光出力を演算処理してディスクの情報信号、フォーカスエラー信号及びトラッキングエラー信号、あるいは必要に応じてチルト信号を信号生成する信号生成回路を備えている。
【０００５】
光学ヘッド装置は、前述のフロントモニタ用受光素子及び光検出器の他にも光源となる半導体レーザやこの半導体レーザを駆動するレーザ駆動用半導体集積回路等の電気部品を搭載し、また、対物レンズを駆動するアクチュエータが永久磁石、ヨーク及び各種駆動コイル（フォーカスコイル及びトラッキングコイル、必要に応じてチルトコイル）により構成され、前記各種駆動コイルに駆動信号が供給されるようになっている。
【０００６】
そして、光ディスク装置においては、一般に、光学ヘッド装置がディスクの信号トラックを横切る方向に移動可能に支持されており、その光学ヘッド装置と光ディスク装置の機器本体に設置される回路基板とがフレキシブル配線基板やフラットケーブル等の伝送ケーブルを用いて接続され、この伝送ケーブルを用いて前記光学ヘッド装置と前記回路基板との間で電気信号の授受を行っている。
【０００７】
ところで、ＡＰＣ回路においては、フロントモニタ用受光素子の受光出力とレーザー光源を駆動する駆動信号との関係を適切に設定するためにＡＰＣ回路のオフセットを調整するオフセット調整回路が設けられている。（特許文献１参照）
また、ＡＰＣ回路を備えるレーザー出力制御回路においては、レーザー光源の温度変化や経時変化等によりＡＰＣ回路のオフセットが変化した際にそのオフセットの変化分を補
償するべくオフセット補償回路が設けられている。（特許文献２参照）
【特許文献１】特開平５−１２８５７２号公報
【特許文献２】特開２００１−２７４５０４号公報
【発明の開示】
【発明が解決しようとする課題】
【０００８】
ところで、光ディスク装置としては、携帯可能なパーソナルコンピュータ、いわゆるノートパソコンに組み込まれて使用される形態のいわゆるスリムタイプのもの、あるいはパソコンの外部端子に接続されるスタンドアローンタイプのものが存在し、これらの電源は通常、パソコンや光ディスク装置自身のバッテリを用いる。
【０００９】
このように電源としてバッテリを使用する光ディスク装置においては、バッテリの消費による光ディスク装置の電源電圧の低下に伴って光学ヘッド装置に搭載される電気部品に印加される電源電圧も低下することになる。
【００１０】
光学ヘッド装置の電気部品への電源電圧が低下すると、その電源電圧が光ディスク装置の動作保証範囲内であってもフロントモニタ用受光素子及び光検出器の受光出力が低下することがある。
【００１１】
フロントモニタ用受光素子の受光出力が低下すると、ＡＰＣ回路はレーザー光源から出射されるレーザー光の光量が低下した場合と同様にレーザー光源からのレーザー光量を増加させる制御が行われ、ディスク記録あるいは再生に適切なレーザー光量に制御されなくなってしまう。
【００１２】
また、光検出器の受光出力が低下すると、受光出力のＳ／Ｎが低下したり、必要な信号生成が正しく行えなくなることが危惧される。
【課題を解決するための手段】
【００１３】
請求項１に係る発明は、フロントモニタ用受光素子に印加される電源電圧が所定電圧に低下するのを検出する電源電圧検出回路と、該電源電圧検出回路による検出出力に応じてＡＰＣ回路に設定されるオフセット電圧を調整するオフセット電圧調整回路と、前記フロントモニタ用受光素子に印加される電源電圧に対応して前記ＡＰＣ回路に設定されるオフセット電圧に対応するオフセットデータが記憶されるメモリ回路とを備え、フロントモニタ用受光素子に印加される電源電圧に対応するＡＰＣ回路のオフセット電圧のオフセットデータを前記メモリ回路に光学ヘッド装置の特性に則って光ディスク装置ごとにあらかじめ記憶させておき、前記電源電圧検出回路によりフロントモニタ用受光素子に印加される電源電圧が所定電圧に低下するのが検出された際に前記メモリ回路から前記所定電圧に対応したオフセットデータを読み出して前記フロントモニタ用受光素子の電源電圧の低下に対応するオフセット電圧を前記ＡＰＣ回路に設定するようにしている。
【００１４】
請求項３に係る発明は、光検出器の各受光領域から得られる各受光出力を信号生成回路に適切な電圧レベルに設定するレベル設定回路と、前記光検出器に印加される電源電圧が所定電圧に低下するのを検出する電源電圧検出回路と、該電源電圧検出回路による検出出力に応じて前記レベル設定回路に設定されるオフセット電圧を調整するオフセット調整回路と、前記光検出器に印加される電源電圧に対応して前記レベル調整回路に設定されるオフセット電圧に対応するオフセットデータが記憶されるメモリ回路とを備え、前記電源電圧検出回路により光検出器に印加される電源電圧が所定電圧に低下するのが検出された際に前記メモリ回路から前記所定電圧に対応したオフセットデータを読み出して前記光検出
器の電源電圧の低下に対応するオフセット電圧を前記レベル設定回路に設定するようにしている。
【発明の効果】
【００１５】
本発明の請求項１に依れば、フロントモニタ用受光素子に印加される電源電圧が所定電圧に低下すると、その所定電圧に対応したオフセットデータをメモリ回路から読み出してそのオフセットデータに対応するオフセット電圧がＡＰＣ回路に設定されるので、ＡＰＣ回路のオフセット電圧がフロントモニタ用受光素子の受光出力の低下分を補償するように設定され、レーザー光源からのレーザー光をディスク記録あるいは再生に適切なレーザー光量に制御することが出来る。
【００１６】
本発明の請求項２に依れば、光学ヘッド装置に設けられるデータ表にフロントモニタ用受光素子の電源電圧とこのフロントモニタ用受光素子の受光出力との関係を示す特性データがコード化されて記録されており、この特性データに基づいて検出されるフロントモニタ用受光素子の電源電圧に対応するＡＰＣ回路のオフセット電圧のオフセットデータがメモリ回路に記憶されるようになっているので、光学ヘッド装置ごとの電源電圧に対するフロントモニタ用受光素子の受光出力の関係を示す実測値に基づいて電源電圧の所定電圧への低下時におけるＡＰＣ回路のオフセット電圧が光学ヘッド装置ごとの電源電圧に対するフロントモニタ用受光素子の受光出力の関係を示す実測値に基づいて設定され、電源電圧の低下に起因するフロントモニタ用受光素子の受光出力の低下を補償することが出来る。
【００１７】
また、本発明の請求項３に依れば、光検出器に印加される電源電圧が所定電圧に低下すると、その所定電圧に対応したオフセットデータをメモリ回路から読み出してそのオフセットデータに対応するオフセット電圧が光検出器の各受光出力の電圧レベルを調整するレベル設定回路に設定されるので、レベル設定回路のオフセット電圧が光検出器の各受光出力の低下分を補償するように設定され、レベル設定回路を介して得られる光検出器の各受光出力を適切なレベルに保持することが出来る。
【００１８】
本発明の請求項４に依れば、光学ヘッド装置に設けられるデータ表に光検出器の電源電圧とこの光検出器の受光出力との関係を示す特性データがコード化されて記録されており、この特性データに基づいて検出される光検出器の電源電圧に対応するレベル設定回路のオフセット電圧のオフセットデータがメモリ回路に記憶されるようになっているので、電源電圧の所定電圧への低下時におけるレベル設定回路のオフセット電圧が光学ヘッド装置ごとの電源電圧に対する光検出器の受光出力の関係を示す実測値に基づいて設定され、電源電圧の低下に起因する光検出器の受光出力の低下を補償することが出来る。
【実施例１】
【００１９】
図１は本発明に係る光ディスク装置の光学ヘッド装置の半導体レーザー駆動系を示す第１の実施例を示す回路ブロック図であり、この光ディスク装置はＣＤ及びＤＶＤに対応する構成となっている。
【００２０】
図１においては、ＣＤ用あるいはＤＶＤ用の一方のみ示しているが、この図１に示す構成の回路がＣＤ用及びＤＶＤ用の両方に用意されることによりＣＤ用半導体レーザー及びＤＶＤ用半導体レーザーからそれぞれ出射される各レーザービームの発光出力が制御される。
【００２１】
半導体レーザーのレーザーダイオード１は、レーザー駆動回路２から出力される駆動信号に応じて駆動されてレーザー光を発光する。レーザー駆動回路２はレーザー制御回路３により制御され、レーザー制御回路３は記録時において記録条件に応じた適切なレベルに設定された記録データに基づくパルス状の記録駆動信号を発生し、再生時において再生条
件に応じた適切なレベルに設定された一定レベルの再生駆動信号を発生する。
【００２２】
レーザーダイオード１により発光されたレーザー光はフロントモニタ用受光素子のフロントモニタダイオード４に受光され、フロントモニタダイオード４には受光されるレーザー光の光量に応じた受光電流が流れる。この受光電流は電流−電圧変換（Ｉ／Ｖ）回路５により電圧信号の受光電圧に変換された後、ローパスフィルタ（ＬＰＦ）６により平滑化され、差動増幅器７に入力される。
【００２３】
この差動増幅器７にはオフセット設定回路８により設定されるオフセット電圧が比較する基準電圧として印加されるので、前記差動増幅器７はＬＰＦ６を介したフロントモニタダイオード４のフロントモニタ出力である受光電圧と前記オフセット電圧との差に応じた差分電圧を発生する。
【００２４】
この差分電圧はレーザー制御回路３に供給され、レーザー制御回路３は前記差動電圧に対応してレーザー駆動回路２から発生される駆動電圧を制御する。これによりレーザー駆動回路２からレーザーダイオード１のレーザー出力を一定光量に制御するべくレーザーダイオード１を駆動する駆動信号が出力される。この場合、記録駆動信号は各パワーレベルの信号が組み合わされてパルス状に構成されているが、レーザー制御回路３により各パワーレベルの信号のうち、基準となるパワーレベルの信号が一定光量に制御される。
【００２５】
ＬＰＦ６、差動増幅器７、オフセット設定回路８及びレーザー制御回路３はフロントモニタ出力に応じてレーザーダイオード１の駆動信号を制御するＡＰＣ回路９を構成している。
【００２６】
ここで、オフセット設定回路８により設定されるオフセット電圧は、フロントモニタダイオード４の受光光量とレーザー駆動回路２からの駆動信号との関係が適切になるように設定され、ディスクの記録時にはその記録条件に適合し、ディスクの再生時にはその再生条件に適合してあらかじめ基準となるデフォルト値が設定される。
【００２７】
ところで、オフセット設定回路８により設定されるオフセット電圧は、オフセット調整回路１０により調整されるようになっており、前記オフセット調整回路１０は、電源電圧検出回路１１によりフロントモニタダイオード４に供給される電源電圧が予め決定された所定電圧に低下することが検出された際に、前記所定電圧に対応するオフセット電圧をオフセット設定回路８に設定する。
【００２８】
オフセット設定回路８に設定されるオフセット電圧は、電気的に内容の書き換え可能なＲＯＭであるＥＥＰＲＯＭにより構成されるメモリ回路１２から読み出されるオフセットデータに基づいている。
【００２９】
前記メモリ回路１２には、フロントモニタダイオード４に印加される電源電圧、定常時と前記所定電圧時とにそれぞれ対応するＡＰＣ回路９のオフセット電圧に基づくオフセットデータが光学ヘッド装置の特性に則って光ディスク装置ごとにあらかじめ記憶されている。
【００３０】
その為、フロントモニタダイオード４に印加される電源電圧が所定電圧に低下すると、その所定電圧に対応したオフセットデータがメモリ回路１２から読み出されてそのオフセットデータに対応するオフセット電圧がＡＰＣ回路９に設定されることにより、ＡＰＣ回路９のオフセット電圧がフロントモニタダイオード４の受光出力の低下分を補償し、レーザーダイオード１から発光されるレーザー光の光量がディスク記録あるいは再生に適切な状態に保持される。
【００３１】
ここで、光学ヘッド装置には個別にフロントモニタダイオード４の電源電圧とこのフロントモニタダイオード４の受光出力との関係を示す特性データがコード化されて記録されるバーコードや２次元コードによるデータ表がシールに印刷されて貼付されている。
【００３２】
このデータ表は光ディスク装置の製造工程でリーダー装置により読み取られ、このデータ表に記録された特性データを基にフロントモニタダイオード４の電源電圧に対応するＡＰＣ回路９のオフセット電圧が検出され、このオフセット電圧に対応するオフセットデータがメモリ回路１２に記憶される。その為、光学ヘッド装置ごとの電源電圧に対するフロントモニタダイオード４の受光出力の関係を示す実測値に基づいて電源電圧が所定電圧に低下した際のＡＰＣ回路９のオフセット設定回路８に設定されるオフセット電圧が光学ヘッド装置ごとのばらつきに対応されて適切に設定されることになる。
【００３３】
尚、上述の実施例において、電源電圧の低下を検出する点を所定電圧に設定しているが、この所定電圧は１点でも良いし、複数点でも良く、複数点とすることでデータ量が多くなるが、きめ細かくオフセット設定回路８に適切なオフセット電圧を設定することが出来る。
【実施例２】
【００３４】
図２は本発明に係る光ディスク装置の光学ヘッド装置の光検出器からの受光出力の信号系を示す第２の実施例を示す回路ブロック図であり、この光ディスク装置はＣＤ及びＤＶＤに対応する構成となっている。
【００３５】
光学ヘッド装置のディスクからの反射光を受光する光検出器２０には、ＣＤの記録再生に用いられるＣＤ受光部とＤＶＤの記録再生に用いられるＤＶＤ受光部とが同一半導体基板上に並べて形成されている。
【００３６】
ＣＤ受光部は、十字に４分割されて配置されるＡ，Ｂ，Ｃ，Ｄの各受光素子からなるレーザー光の０次回折光を受光するメイン受光領域２１と、レーザー光の±１次回折光の各サブビームを受光するＥ，Ｆの各受光素子２２及び２３からなるサブ受光領域とにより構成されている。
【００３７】
一方、ＤＶＤ受光部は、十字に４分割されて配置されるａ，ｂ，ｃ，ｄの各受光素子からなるレーザー光の０次回折光を受光するメイン受光領域２４により構成されている。
【００３８】
光検出器２０の出力端子２５，２６，２７，２８から導出される各受光出力は光検出器２０内部にＣＤ受光部及びＤＶＤ受光部が形成される半導体基板上に形成される各選択スイッチ２９，３０，３１，３２により選択されるようになっており、ＣＤ受光部及びＤＶＤ受光部とで信号種類が共通する受光出力がそれぞれ選択的に導出されるようになっている。
【００３９】
前記各選択スイッチ２９，３０，３１，３２は切替制御端子３３に印加される信号レベルによってＣＤ受光部の受光出力、あるいはＤＶＤ受光部の受光出力を選択する。
【００４０】
したがって、切替制御端子３３に印加する信号レベルを切り替えることによって光検出器２０の出力端子２５，２６，２７，２８からはＣＤ受光部及びＤＶＤ受光部の各受光出力を切り替えて導出させることが出来、ＣＤの記録再生とＤＶＤの記録再生とで前記出力端子２５，２６，２７，２８が共用される。この場合、前記各選択スイッチ２９，３０，３１，３２からそれぞれ導出される各受光出力は、それぞれ電流・電圧変換回路３４，３５，３６，３７を介して電流信号から電圧信号に変換される。
【００４１】
また、ＣＤ受光部のサブ受光領域の各受光素子２２及び２３からの各受光出力は、それぞれ電流・電圧変換回路３８，３９を介して電流信号から電圧信号に変換された後、出力端子４０，４１から導出される。
【００４２】
各出力端子２５，２６，２７，２８，４０，４１から導出される各受光出力はレベル設定回路４２により供給され、前記レベル設定回路４２は各受光出力を増幅する各増幅器のゲインを調整すると共に、その各増幅器のオフセット成分を打ち消すようにオフセット電圧を印加し、各受光出力間のばらつきを吸収するべく各受光出力の電圧レベルを設定する。
【００４３】
前記レベル設定回路４２により電圧レベルが設定された各受光出力は、信号生成回路４３に供給され、信号生成回路４３により演算処理されてイコライジングされてディスクに記録された記録マーク（ピット・ランド）に対応するＲＦ信号（ラジオ周波信号）が生成され、また、信号生成回路４３により演算処理されてディスクに照射されるレーザービームのディスク信号面とのフォーカスずれを示すフォーカスエラー信号（ＦＥ信号）、及び前記レーザービームのディスクの信号トラックとのトラッキングずれを示すトラッキングエラー信号（ＴＥ信号）が生成される。
【００４４】
ここで、ＣＤにおいて、フォーカスエラー信号を生成するのに非点収差法が採用されると共に、トラッキングエラー信号を生成するのに３ビーム法が採用され、一方、ＤＶＤにおいて、フォーカス制御に非点収差法が、トラッキング制御にプッシュプル法が採用され、信号生成回路４３は、これらの方式に則った演算処理を行う。
【００４５】
ところで、レベル設定回路４２により設定されるオフセット電圧は、オフセット調整回路４４により調整されるようになっており、前記オフセット調整回路４４は、電源電圧検出回路４５により光検出器２０に供給される電源電圧が予め決定された所定電圧に低下することが検出された際に、前記所定電圧に対応するオフセット電圧をレベル設定回路４２に設定する。
【００４６】
レベル設定回路４２に設定されるオフセット電圧は、電気的に内容の書き換え可能なＲＯＭであるＥＥＰＲＯＭにより構成されるメモリ回路４６から読み出されるオフセットデータに基づいている。
【００４７】
前記メモリ回路４６には、光検出器２０に印加される電源電圧、定常時と前記所定電圧時とにそれぞれ対応するレベル設定回路４２のオフセット電圧に基づくオフセットデータが光学ヘッド装置の特性に則って光ディスク装置ごとにあらかじめ記憶されている。
【００４８】
その為、光検出器２０に印加される電源電圧が所定電圧に低下すると、その所定電圧に対応したオフセットデータがメモリ回路４６から読み出されてそのオフセットデータに対応するオフセット電圧がレベル設定回路４２に設定されることにより、レベル設定回路４２のオフセット電圧が光検出器２０の各受光出力の低下分を補償し、信号生成回路４３に供給される光検出器２０の各受光出力がＲＦ信号、ＦＥ信号及びＴＥ信号を生成するべく演算処理するのに適切な電圧レベルに保持される。
【００４９】
ここで、光学ヘッド装置には個別に光検出器２０の電源電圧とこの光検出器２０の各受光出力との関係を示す特性データがコード化されて記録されるバーコードや２次元コードによるデータ表がシールに印刷されて貼付されている。
【００５０】
このデータ表は光ディスク装置の製造工程でリーダー装置により読み取られ、このデー
タ表に記録された特性データを基に光検出器２０の電源電圧に対応するレベル設定回路４２のオフセット電圧が検出され、このオフセット電圧に対応するオフセットデータがメモリ回路４６に記憶される。その為、光学ヘッド装置ごとの電源電圧に対する光検出器２０の各受光出力の関係を示す実測値に基づいて電源電圧が所定電圧に低下した際のレベル設定回路４２に設定されるオフセット電圧が光学ヘッド装置ごとのばらつきに対応されて適切に設定されることになる。
【００５１】
尚、上述の実施例において、電源電圧の低下を検出する点を所定電圧に設定しているが、この所定電圧は１点でも良いし、複数点でも良く、複数点とすることでデータ量が多くなるが、きめ細かくレベル設定回路４２に適切なオフセット電圧を設定することが出来る。
【図面の簡単な説明】
【００５２】
【図１】本発明に係る光ディスク装置の光学ヘッド装置の半導体レーザー駆動系を示す第１の実施例を示す回路ブロック図である。
【図２】本発明に係る光ディスク装置の光学ヘッド装置の光検出器からの受光出力の信号系を示す第２の実施例を示す回路ブロック図である。
【符号の説明】
【００５３】
１        レーザーダイオード
２        レーザー駆動回路
３        レーザー制御回路
４        フロントモニタダイオード
７        差動増幅器
８        オフセット設定回路
９        ＡＰＣ回路
１０        オフセット調整回路
１１        電源電圧検出回路
１２        メモリ回路
２０        光検出器
２５，２６，２７，２８，４０，４１        出力端子
４２        レベル設定回路
４３        信号生成回路
４４        オフセット調整回路
４５        電源電圧検出回路
４６        メモリ回路
【図１】
2006024323.tif 000003
【図２】
2006024323.tif 000004